(57)【要約】【課題】重ね合わせ方式調髪鋏の提供。【解決手段】本発明は一種の重ね合わせ方式調髪鋏に関わるものである。主に、枢接部材により枢接された第１切れ刃と第２切れ刃を設け、第１切れ刃と第２切れ刃の底部にそれぞれ把手部を設け、各把手部に一定形状の第１側面と間隔を置き、向かい合う第２側面を有し、二つの側面に隣接した側面に外周面を設けて、一定厚みの把手部を構成する。把手部の外周面に１枚以上の締結片を設ける。調髪鋏は締結片により、隣接したもう１丁の調髪鋏に締結し、重ね合って数丁の調髪鋏を構成し、理髪師は片手で数丁の調髪鋏を同時に持って、調髪を行うことができる。【選択図】図１
2008067773.tif 000002
【特許請求の範囲】
【請求項１】
第１切れ刃を有し、
第２切れ刃を該第１切れ刃に枢接し、
一つ以上の切欠きを該第１切れ刃または第２切れ刃のいずれに設けて、該切欠きに棒体を設け、
１枚以上の締結片を旋転方式により、該第１切れ刃または該第２切れ刃のいずれに設けて、該締結片に留め金を設け、隣接した調髪鋏を重ね合わせた後、該締結片を隣接した調髪鋏の切欠きに掛けておく、該留め金を該棒体に締結することを特徴とする重ね合わせ方式調髪鋏。
【請求項２】
該一つ以上の調髪鋏の切れ刃の外周面に、二つの溝を設ける、該締結片の両側に、枢接部をそれぞれ設け、該二つの枢接部を該二つの溝に挿入し、線軸により該枢接部と該溝を穿設することを特徴とする請求項１記載の重ね合わせ方式調髪鋏。
【請求項３】
該切欠きは一つ以上の鋏切れ刃の外周面に設けることを特徴とする請求項２記載の重ね合わせ方式調髪鋏。
【請求項４】
該締結片はさらに隆起部を設けることを特徴とする請求項１記載の重ね合わせ方式調髪鋏。
【請求項５】
第１切れ刃を有し、
第２切れ刃を該第１切れ刃に枢接し、
一つ以上の切欠きを該第１切れ刃または第２切れ刃のいずれに設けて、該切欠きに突起部を設け、
１枚以上の締結片を旋転方式により、該第１切れ刃または該第２切れ刃のいずれに設けて、該締結片に留め金を設け、隣接した調髪鋏を重ね合わせた後、該締結片を隣接した調髪鋏の切欠きに掛けておく、該留め金を該突起部に締結することを特徴とする重ね合わせ方式調髪鋏置。
【請求項６】
該一つ以上の調髪鋏の切れ刃の外周面に、二つの溝を設け、該締結片に片体を設け、該片体の両側に、枢接部をそれぞれ設け、該二つの枢接部を該二つの溝に挿入し、線軸により該枢接部と該溝を穿設することを特徴とする請求項５記載の重ね合わせ方式調髪鋏。
【請求項７】
該切欠きは一つ以上の鋏切れ刃の外周面に設けることを特徴とする請求項６記載の重ね合わせ方式調髪鋏。
【請求項８】
該締結片はさらに隆起部を設けることを特徴とする請求項５記載の重ね合わせ方式調髪鋏置。
【請求項９】
第１切れ刃を有し、
第２切れ刃を該第１切れ刃に枢接し、
１枚以上の締結片を旋転方式により、該第１切れ刃または第２切れ刃のいずれに設けて、該締結片は留め金を有し、
一つ以上の線軸を該第１切れ刃または第２切れ刃のいずれに設けて、該締結片を枢接し、隣接した２丁の調髪鋏を重ね合わせた後、該締結片の留め金を該線軸に掛けておくことを特徴とする重ね合わせ方式調髪鋏置。
【請求項１０】
該一つ以上の調髪鋏の切れ刃の外周面に、二つの溝を設け、該締結片に片体を設け、該片体の両側に、枢接部をそれぞれ設け、該二つの枢接部を該二つの溝に挿入し、該線軸により該枢接部と該溝を穿設することを特徴とする請求項９記載の重ね合わせ方式調髪鋏。
【請求項１１】
該締結片はさらに凹み部を設けることを特徴とする請求項９記載の重ね合わせ方式調髪鋏。
【請求項１２】
該締結片はさらに隆起部を該凹み部の向かい側に設けることを特徴とする請求項１１記載の重ね合わせ方式調髪鋏。
【請求項１３】
該締結片の突起部と凹み部は互いに補完する形であることを特徴とする請求項１２記載の重ね合わせ方式調髪鋏。
【発明の詳細な説明】
【技術分野】
【０００１】
本発明は一種の重ね合わせ方式調髪鋏、特に一種の把手部に連結部材を設けて、任意に重ね合うことのできる調髪鋏に関わる発明である。
【背景技術】
【０００２】
ヘアスタイル設計の多様化につれて、従来のスタイルはもはや各種ヘアスタイルの需要に間に合わない。修整、髪の量を薄くするまたは漸次な変化など調髪技能の運用をより敏捷、快速を図るため、片手で数丁の調髪鋏を持って、ヘアスタイルの修整は、趨勢と言える。
【０００３】
片手で数丁の調髪鋏を持って、髪の修整を操作することはある期間の訓練で慣れるが、しかし、調髪鋏の握り方について、公知技術は指もとまで調髪鋏の指挿入孔に挿入必要があるため、指の力量制御および外面に取り付けた調髪鋏が抜け出す欠点がある。一方、公知技術の調髪鋏の間隔を一定に維持または同時に開閉できない問題があるため、修整したヘアスタイルにばらつきを形成する欠点がある。
【０００４】
本発明者は公知技術の調髪鋏は、理髪師が数丁の調髪鋏を同時に操作できない問題点を鑑みて、研究改良した結果、調髪鋏を重ね合わせて使用する考案を特許文献１、特許文献２、および特許文献３に開示している。それらの調髪鋏構造は、主に調髪鋏の把手部に組み合わせるための連結片を設け、数丁の調髪鋏を並列し重ね合わせて、同時開閉の操作機能を有し、理髪師は片手で数丁の調髪鋏を持って、１丁の調髪鋏と同じく容易に調髪操作できる。
【０００５】
【特許文献１】米国特許６１９２５９０Ｂ１号明細書
【特許文献２】米国特許６４３４８３３Ｂ１号明細書
【特許文献３】米国特許６６３４１０６Ｂ２号明細書
【発明の開示】
【発明が解決しようとする課題】
【０００６】
本発明者は該重ね合わせた調髪鋏を調髪業者の使用、並びにさまざまな構造により、各レベルの利用者の操作に応えるため、本発明において、構造が単純、組み合わせが容易な調髪鋏を考案した。複数丁の調髪鋏の重ね合わせは実用効果にかなえる、一種の重ね合わせが便利な調髪鋏を提供することを本発明の主な目的である。
【０００７】
前記の目的を達成するため、本発明に一種の斬新な調髪鋏重ね組み合わせ構造を提供する。主に、該調髪鋏は枢接部材により、連結された第１切れ刃と第２切れ刃。該二つの切れ刃の裾部に把手部をそれぞれ延ばして設け、該把手部に一定形状の第１側面と隣接した第２側面、および両側面に隣接した外周面を設ける。該外周面に１枚以上の締結片を設け、外周面は締結片の付近部に一つ以上の切欠きを設け、該一つ以上の切欠きに棒体を穿設し、隣り合った２丁の調髪鋏は締結片により、棒体に締結し、数丁の調髪鋏を重ね合わせて設ける。
【０００８】
前記の切欠きは内部に突起部を設け、調髪鋏は締結片により隣り合った調髪鋏の切欠きに備える突起部に締結して、数丁の調髪鋏を重ね合わせる。
【０００９】
前記の外周面に一つ以上の溝を設け、締結片の枢接部を溝に取り付けて、枢軸を溝および枢接部にほじくって、締結片を外周面に枢接する。締結片は枢接部を備える側に凹み部を設け、凹み部の枢軸を露出しておく、調髪鋏は締結片により、隣り合った調髪鋏に備える締結片の凹み部より露出した枢軸に締結することにより、数丁の調髪鋏を重ね合わせる。
【００１０】
本発明は、前記の構造の特徴により、数丁の調髪鋏を簡単に、素早く重ね合わせる効果のほか、構造が単純、製造が簡単などの長所がある。
【課題を解決するための手段】
【００１１】
請求項１の発明は、第１切れ刃を有し、
第２切れ刃を該第１切れ刃に枢接し、
一つ以上の切欠きを該第１切れ刃または第２切れ刃のいずれに設けて、該切欠きに棒体を設け、
１枚以上の締結片を旋転方式により、該第１切れ刃または該第２切れ刃のいずれに設けて、該締結片に留め金を設け、隣接した調髪鋏を重ね合わせた後、該締結片を隣接した調髪鋏の切欠きに掛けておく、該留め金を該棒体に締結することを特徴とする重ね合わせ方式調髪鋏としている。
請求項２の発明は、該一つ以上の調髪鋏の切れ刃の外周面に、二つの溝を設け、該締結片の両側に、枢接部をそれぞれ設け、該二つの枢接部を該二つの溝に挿入し、線軸により該枢接部と該溝を穿設することを特徴とする請求項１記載の重ね合わせ方式調髪鋏としている。
請求項３の発明は、該切欠きは一つ以上の鋏切れ刃の外周面に設けることを特徴とする請求項２記載の重ね合わせ方式調髪鋏としている。
請求項４の発明は、該締結片はさらに隆起部を設けることを特徴とする請求項１記載の重ね合わせ方式調髪鋏としている。
請求項５の発明は、第１切れ刃を有し、
第２切れ刃を該第１切れ刃に枢接し、
一つ以上の切欠きを該第１切れ刃または第２切れ刃のいずれに設けて、該切欠きに突起部を設け、
１枚以上の締結片を旋転方式により、該第１切れ刃または該第２切れ刃のいずれに設けて、該締結片に留め金を設け、隣接した調髪鋏を重ね合わせた後、該締結片を隣接した調髪鋏の切欠きに掛けておく、該留め金を該突起部に締結することを特徴とする重ね合わせ方式調髪鋏置としている。
請求項６の発明は、該一つ以上の調髪鋏の切れ刃の外周面に、二つの溝を設け、該締結片に片体を設け、該片体の両側に、枢接部をそれぞれ設け、該二つの枢接部を該二つの溝に挿入し、線軸により該枢接部と該溝を穿設することを特徴とする請求項５記載の重ね合わせ方式調髪鋏としている。
請求項７の発明は、該切欠きは一つ以上の鋏切れ刃の外周面に設けることを特徴とする請求項６記載の重ね合わせ方式調髪鋏としている。
請求項８の発明は、該締結片はさらに隆起部を設けることを特徴とする請求項５記載の重ね合わせ方式調髪鋏置としている。
請求項９の発明は、第１切れ刃を有し、
第２切れ刃を該第１切れ刃に枢接し、
１枚以上の締結片を旋転方式により、該第１切れ刃または第２切れ刃のいずれに設けて、該締結片は留め金を有し、
一つ以上の線軸を該第１切れ刃または第２切れ刃のいずれに設けて、該締結片を枢接する、隣接した２丁の調髪鋏を重ね合わせた後、該締結片の留め金を該線軸に掛けておくことを特徴とする重ね合わせ方式調髪鋏置としている。
請求項１０の発明は、該一つ以上の調髪鋏の切れ刃の外周面に、二つの溝を設け、該締結片に片体を設け、該片体の両側に、枢接部をそれぞれ設け、該二つの枢接部を該二つの溝に挿入し、該線軸により該枢接部と該溝を穿設することを特徴とする請求項９記載の重ね合わせ方式調髪鋏としている。
請求項１１の発明は、該締結片はさらに凹み部を設けることを特徴とする請求項９記載の重ね合わせ方式調髪鋏としている。
請求項１２の発明は、該締結片はさらに隆起部を該凹み部の向かい側に設けることを特徴とする請求項１１記載の重ね合わせ方式調髪鋏としている。
請求項１３の発明は、該締結片の突起部と凹み部は互いに補完する形であることを特徴とする請求項１２記載の重ね合わせ方式調髪鋏としている。
【発明の効果】
【００１２】
本発明は重ね合わせ方式調髪鋏、前記の構造の特徴により、数丁の調髪鋏を簡単に、素早く重ね合わせる効果のほか、構造が単純、製造が簡単などの長所がある。
【発明を実施するための最良の形態】
【００１３】
図１に示すものは、本発明の実施例１の立体外観図と側面の把手部１１１の局所拡大図である。そのうち、該調髪鋏１は重ね合わせた第１切れ刃１１と第２切れ刃１２を有し、該二つの切れ刃１１、１２の底部は延ばして、把手部１１１、１２１をそれぞれ設ける。各把手部１１１、１２１に指挿入孔１１５、１２５を設け、二つの切れ刃１１、１２を重ね合わせた部分は枢接部材１３により枢接して、旋動の支点を形成し、二つの切れ刃１１、１２の開閉操作に備える。
【００１４】
図１、図２を参照する。図２は図１の調髪鋏の締結片の局所拡大図である。該二つの切れ刃１１、１２の把手部１１１、１２１は一定形状の第１側面１１２、１２２と間隔を置いて向かい合う第２側面１１３、１２３を設け、さらに二つの側面１１２、１１３の外周面１１４、二つの側面１２２、１２３に隣接する外周面１２４を設けて、把手部１１１、１２１に一定の厚みを形成する。
【００１５】
図１から図４を合わせて参照する。そのうち、図３は数丁の調髪鋏１、１ａ、１ｂを重ね合わせた立体外観図である。図４は図３の調髪鋏１、１ａ、１ｂを組み合わせる前の断面図である。本発明は、主に調髪鋏１の把手部１１１、１２１の外周面１１４、１２４に１枚以上の締結片２を設け、締結片２により、もう１丁の調髪鋏を締結することにより、複数丁の調髪鋏の重ね合わせができる。
【００１６】
本発明の実施例１において、主に調髪鋏１の把手部１１１、１２１の外周面１１４、１２４に二つ以上の溝１１６、１２６を設ける。該締結片２に片体２１を設け、片体２１の先端に隆起部２２を設ける。片体２１が外周面１１４、１２４二向かう側にフック状の留め金２４を設け、片体２１の後部に屈折して、片体２１に垂直した枢接部２３を設ける。該枢接部２３は前記の溝可１１６、１２６に取り付ける。外周面１１４、１２４に孔１１８、１２８をそれぞれ設け、各枢軸２５は孔１１８、１２８より、枢接部２３を通して溝１１６、１２６に取り付け、締結片２は枢接部２３により、枢軸２５に枢接し、溝１１６、１２６にて旋転状態を形成する。
【００１７】
本実施例において、外周面１１４、１２４に枢接された締結片２の場所に切欠き１１７、１２７を設ける。本実施例において、該切欠き１１７、１２７は外周面１１４と第２側面１１３との間に設ける。外周面１１４、１２４は切欠き１１７、１２７に合わせて溝１１９、１２９を設け、それぞれの孔１１９、１２９に棒体２６は切欠き１１７、１２７をとおして固定し、棒体２６を切欠き１１７、１２７内より露出する。
【００１８】
図３から図５を合わせて参照する。図５は図３の５-５線を取った断面図である。該調髪鋏の重ね合わせは図示のとおり、調髪鋏１ａの第１側面１１２、１２２を調髪鋏１の第２側面１１３、１２３に当てて、調髪鋏１ａに備える２枚の締結片２を調髪鋏１の切欠き１１７、１２７に合わせる。このとき、締結片２を押すことにより、留め金２４を棒体２６に掛け合う。両側の締結片２を隣り合った調髪鋏１の棒体２６に締結し、数丁の調髪鋏を順調に、素早く重ね合わせる。図５に示すとおり、取り外すときは、隆起部２２に指を引くことで、締結片２開けて、留め金２４を棒体２６より解放し、２丁の調髪鋏を順調に切り離す。素早く組み立てと取り外しできる長所がある。
【００１９】
本発明の調髪鋏同士の重ね合わせは、前記の構造以外に、さらにほかの設計ができる。図６から図９に示すものは、本発明の実施例２である (本実施例において、前記の実施例１に同様または同等な構成要素は、同じ符号を使用する) 。そのうち、図６は本発明の調髪鋏の実施例２の立体外観図と側面把手部１１１の局所拡大図、図７は図６の調髪鋏の右側把手部に締結片２を枢接した局所拡大立体分解図、図８は本発明の数丁の調髪鋏を重ね合わせた後の立体外観図である。本発明において、該締結片２は２丁の調髪鋏１１、１２の把手部１１１、１２１に備える外周面１１４、１２４に枢接する。締結片２の留め金２４の外周面１１４、１２４に切欠き１１７ａ、１２７ａを設け、該切欠き１１７ａ、１２７ａ内部は締結片２に合わせて留め金２４の突起部１１７ｂ、２７ｂを設ける。
【００２０】
調髪鋏の重ね合わせは図８と図９に示すとおり、同じく調髪鋏１ａの第１側面１１２、１２２を調髪鋏１の第２側面１１３、１２３に当てて、調髪鋏１の締結片２は調髪鋏１の切欠き１１７ａ、１２７ａの位置に合わせておく、このとき、締結片２を押して、留め金２４を切欠き１１７ａ、１２７ａに進入し、突起部１１７ｂ、２７ｂに締結する。これにより、図１０示した締結方式より、数丁の調髪鋏を重ね合わせることができる。なお、取り外すときは、締結片２を指で開けて、締結片２４を突起部１１７ｂ、１２７ｂより離して、調髪鋏を分離することができる。
【００２１】
本発明はさらに実施例３を提示する。本実施例において、前記の実施例１に同じくまたは同等な構成要素は同じ符号をつける。図１１から図１４は本発明の調髪鋏の実施例３の立体外観図である。そのうち、図１１は、側面把手部１１１の局所拡大図、図１２は図１１の調髪鋏の枢接部に締結片を設ける場所の局所拡大立体分解図、図１３は本発明の数丁の調髪鋏を重ね合わせた後の立体外観図、図１４は数丁の調髪鋏を組み合わせる前の断面図である。
【００２２】
本実施例において、該締結片２は二つの切れ刃１１、１２の把手部１１１、１２１の外周面１１４、１２４に枢接し、外周面１１４、１２４に一つ以上の溝１１６、１２６を設け、溝１１６、１２６に締結片２を枢接する。該締結片２は金属板より構成する片体２１であり、片体２１のいったんは突き出して、隆起部２２を形成し、向かい側に外形と隆起部２２と組み合わせるための凹み部２７を設け、該凹み部２７両側は、折り曲げた片体２１より円筒状の二つの枢接部２３を形成する。締結片２は枢接部２３より溝１１６、１２６に取り付けて、枢軸２５を孔１１８、１２８と枢接部２３を通して、締結片２は旋転可能にて、外周面１１４、１２４に枢接し、枢接部２３を通した枢軸２５を凹み部２７より露出する。
【００２３】
図１３から図１５を合わせて参照する。隣接する２丁の調髪鋏１、１ａを重ね合わせるとき、調髪鋏１ａの第１側面１１２、１２２を隣接する調髪鋏１の第２側面１１３、１２３に当てて、調髪鋏１ａの締結片２を調髪鋏１の締結片２に備える凹み部２７に合わせて、隆起部２２を押して、留め金２４を枢軸２５に掛けておく、このとき、調髪鋏１ａの締結片２に備える隆起部２２は調髪鋏１の締結片２に備える凹み部２７に進入し調髪鋏１ａは締結片２により、調髪鋏１の側面に締結される。これにより、図１５に示す、数丁の調髪鋏１、１ａ、１ｂを重ね合わせた状態となる。
【００２４】
本発明の構造により、数丁の調髪鋏を互いに重ね合わせて、使用のとき、同時に開閉操作できる。理髪師は片手で数丁の調髪鋏を持って、髪の毛の修整を行う。その上、構造が単純で、調髪鋏の重ね合わせが簡単、迅速性を有し、本発明が設定した設計目的と実施効果を実現できる。
【００２５】
前記の説明は本発明の好ましい実施例を取り上げたに過ぎない。本発明の設計精神により、多種多様な変化または修正実施ができる。その例として、調髪鋏の締結片との連結方式を変化し、または締結片の数を２枚以上に設ける、あるいは締結片の締結位置を変える、もしくは締結する切欠きの形を変化するなどがある。
【図面の簡単な説明】
【００２６】
【図１】本発明の実施例１の立体外観図、および右側把手部に締結片を枢接された場所の局所拡大図である。
【図２】本発明の実施例１の立体外観図、調髪鋏の右側把手部に締結片を枢接された場所の局所拡大分解図である。
【図３】本発明の実施例１における数丁の調髪鋏を重ね合わせた後の立体外観図である。
【図４】本発明の実施例１における数丁の調髪鋏を重ね合わせた後の断面動作図である。
【図５】本発明の実施例１における数丁の調髪鋏を重ね合わせた後の断面図である。
【図６】本発明の実施例２の立体外観図、および右側把手部に締結片を枢接された場所の局所拡大図である。
【図７】本発明の実施例２の立体外観図、調髪鋏の右側把手部に締結片を枢接された場所の局所拡大分解外観図である。
【図８】本発明の実施例２における数丁の調髪鋏を重ね合わせた後の立体外観図である。
【図９】本発明の実施例２における数丁の調髪鋏を重ね合わせた後の断面動作図である。
【図１０】本発明の実施例２における数丁の調髪鋏を重ね合わせた後の断面図である。
【図１１】本発明の実施例３の立体外観図、調髪鋏の右側把手部に締結片を枢接された場所の局所拡大分解外観図である。
【図１２】本発明の実施例３における、調髪鋏の右側把手部に締結片を枢接された場所の局所拡大分解外観図である。
【図１３】本発明の実施例３における数丁の調髪鋏を重ね合わせた後の立体外観図である。
【図１４】本発明の実施例３における数丁の調髪鋏を重ね合わせた後の断面動作図である。
【図１５】本発明の実施例３における数丁の調髪鋏を重ね合わせた後の断面図である。
【符号の説明】
【００２７】
１  調髪鋏
１ａ、１ｂ  調髪鋏
１１  第１切れ刃
１１１  把手部
１１２、１２２  第１側面
１１３、１２３  第２側面
１１４、１２４  外周面
１１５、１２５  指挿入孔
１１６  溝
１１７、１１７ａ、１２７、１２７ａ  切欠き
１１７ｂ、１２７ｂ  突起部
１１８、１１９、１２８、１２９  孔
１２  第２切れ刃
１２１  把手部
１２６  溝
１３  枢接部材
２  締結片
２１  片体
２２  隆起部
２３  枢接部
２４  留め金
２５  枢軸
２６  棒体
２７  凹み部
【図１】
2008067773.tif 000003
【図２】
2008067773.tif 000004
【図３】
2008067773.tif 000005
【図４】
2008067773.tif 000006
【図５】
2008067773.tif 000007
【図６】
2008067773.tif 000008
【図７】
2008067773.tif 000009
【図８】
2008067773.tif 000010
【図９】
2008067773.tif 000011
【図１０】
2008067773.tif 000012
【図１１】
2008067773.tif 000013
【図１２】
2008067773.tif 000014
【図１３】
2008067773.tif 000015
【図１４】
2008067773.tif 000016
【図１５】
2008067773.tif 000017